(57)【要約】【課題】キャビティ内を減圧して金属溶湯を射出、充填する際に、適切な減圧が得られ、かつ、開閉弁への金属溶湯の侵入を確実に防ぐことができるダイカスト装置を提供する。【解決手段】排気路を開閉する開閉バルブ６０と、開閉バルブ６０による排気路の開閉状態を検出する位置検出器７０と、射出装置１０と、射出プランジャ１７の位置を検出する位置検出器３５と、射出制御を行う制御装置３０とを有し、制御装置３０は、検出される射出プランジャ１７の位置が速度切換位置の手前に設定されたバルブ閉位置に達したところで開閉バルブ６０に排気路を閉鎖させる制御指令を出力し、速度切換位置に射出プランジャ１７が到達したところで、排気路の閉鎖の完了を検出しない場合には、射出プランジャ１７の駆動を停止させる。【選択図】図１
2004337932.tif 000002
【特許請求の範囲】
【請求項１】
一対の金型の間に形成されるキャビティ内を排気して減圧し、減圧された前記キャビティ内に金属溶湯を射出、充填して鋳造品を成形するダイカスト装置であって、
前記キャビティ内を排気する排気路を開閉する開閉バルブと、
前記開閉バルブによる前記排気路の開閉状態を検出する開閉検出手段と、
前記キャビティ内に連通する射出スリーブと、前記射出スリーブに供給された金属溶湯を射出する射出プランジャと、前記射出プランジャを駆動する駆動手段とを備える射出装置と、
前記射出プランジャの位置を検出するプランジャ位置検出手段と、
前記射出スリーブに金属溶湯が供給されたのちに前記射出プランジャを低速の射出速度で駆動し、設定された速度切換位置に達したところで高速の射出速度に切り換えて、減圧された前記キャビティ内に金属溶湯を射出、充填させる制御手段と、を有し、
前記制御手段は、検出される前記射出プランジャの位置が前記速度切換位置の手前に設定されたバルブ閉位置に達したところで前記開閉バルブに前記排気路を閉鎖させる制御指令を出力し、前記速度切換位置に前記射出プランジャが到達したところで、前記排気路の閉鎖の完了を検出しない場合には、前記射出プランジャの駆動を停止させる
ダイカスト装置。
【請求項２】
前記バルブ閉位置を鋳造条件に基づいて決定する閉位置決定手段をさらに有する
請求項１に記載のダイカスト装置。
【請求項３】
一対の金型の間に形成されるキャビティ内を排気して減圧し、減圧された前記キャビティ内に金属溶湯を射出、充填して鋳造品を成形する鋳造方法であって、
前記キャビティ内に連通する射出スリーブに金属溶湯を供給し、
前記射出スリーブに金属溶湯が供給されたのちに金属溶湯を射出する射出プランジャを低速の射出速度で駆動し、
前記キャビティ内の減圧を開始し、前記射出プランジャの位置が予め設定されたバルブ閉位置に達したところで、前記キャビティ内を排気する排気路を開閉する開閉バルブに前記排気路を閉鎖させる指令を出力し、
前記射出プランジャの位置が前記バルブ閉位置の前方に設定された速度切換位置に達するまでに前記排気路の閉鎖の完了を検出した場合には、高速の射出速度に切り換えて、減圧された前記キャビティ内に金属溶湯を射出、充填させ、前記排気路の閉鎖の完了を検出しない場合には、前記射出プランジャの駆動を停止させる
鋳造方法。
【請求項４】
前記バルブ閉位置を鋳造条件に基づいて、鋳造前に決定しておく
請求項３に記載の鋳造方法。
【発明の詳細な説明】
【０００１】
【発明の属する技術分野】
本発明は、ダイカスト装置に係り、特に、金型キャビティ内の気体を金属溶湯を射出、充填する前に排気し、減圧下で鋳造する真空ダイカスト法を用いたダイカスト装置に関する。
【０００２】
【従来の技術】
ダイカスト製品の品質のばらつきによる信頼性低下の原因の一つとして、ダイカスト製品へのガスの含有がある。すなわち、高速、高圧で射出、充填された溶湯は射出スリーブと金型のキャビティ内で乱流となり、空気や気化した金型に塗布された離型剤等を巻き込む。
上記のような問題を克服するため、真空ダイカスト法によるダイカストマシンを用いて鋳造することによって、ダイカスト製品へのガスの含有を抑制し、ダイカスト製品のガスの含有による品質のばらつきを低減する技術が知られている（たとえば、特許文献１参照）。
真空ダイカスト法を用いたダイカストマシンにおいては、高い強度、品質の製品を鋳造するためには、金型内をより高真空化でき、減圧状態を維持できることが求められている。金型内が高真空化されていないと、鋳造された製品にガスが含有し、鋳造後の焼きなまし等の熱処理を製品に施した際に、製品に歪みや変形が生じやすく、真空ダイカスト法による十分な効果を得ることが難しいからである。
【０００３】
【特許文献１】
米国特許２，７８５，４４８号
【０００４】
【発明が解決しようとする課題】
ところで、キャビティ内を減圧するためには、真空ポンプとキャビティとを連通する排気路に開閉バルブを設け、排気路を開閉バルブによって開閉することが必要となる。
この開閉バルブを閉じるタイミングは、キャビティ内の真空度の低下を防ぐ等の観点から、可能な限り金属溶湯をキャビティ内に射出・充填する直前とすることが好ましい。
一方、開閉バルブを閉じるタイミングが遅れると、バルブ内に金属溶湯が侵入し、バルブが破損する可能性がある。
このため、適切な減圧が得られ、かつ、開閉バルブ内に金属溶湯が侵入するのを防ぐように、開閉バルブを閉じるタイミングを最適化する必要がある。
しかしながら、開閉バルブを閉じるタイミングは、開閉バルブの応答性のばらつき等の様々な要因の存在により変動しやすく、ある程度の余裕をもったタイミングで開閉バルブを閉じたとしても、開閉バルブ内に金属溶湯が侵入する可能性があった。
【０００５】
本発明は、上述の従来の課題に鑑みて成されたものであって、その目的は、キャビティ内を減圧して金属溶湯を射出、充填する際に、適切な減圧が得られ、かつ、開閉弁への金属溶湯の侵入を確実に防ぐことができるダイカスト装置を提供することにある。
【０００６】
【課題を解決するための手段】
本発明のダイカスト装置は、一対の金型の間に形成されるキャビティ内を排気して減圧し、減圧された前記キャビティ内に金属溶湯を射出、充填して鋳造品を成形するダイカスト装置であって、前記キャビティ内を排気する排気路を開閉する開閉バルブと、前記開閉バルブによる前記排気路の開閉状態を検出する開閉検出手段と、前記キャビティ内に連通する射出スリーブと、前記射出スリーブに供給された金属溶湯を射出する射出プランジャと、前記射出プランジャを駆動する駆動手段とを備える射出装置と、前記射出プランジャの位置を検出するプランジャ位置検出手段と、前記射出スリーブに金属溶湯が供給されたのちに前記射出プランジャを低速の射出速度で駆動し、設定された速度切換位置に達したところで高速の射出速度に切り換えて、減圧された前記キャビティ内に金属溶湯を射出、充填させる制御手段と、を有し、前記制御手段は、検出される前記射出プランジャの位置が前記速度切換位置の手前に設定されたバルブ閉位置に達したところで前記開閉バルブに前記排気路を閉鎖させる制御指令を出力し、前記速度切換位置に前記射出プランジャが到達したところで、前記排気路の閉鎖の完了を検出しない場合には、前記射出プランジャの駆動を停止させる。
【０００７】
好適には、本発明のダイカスト装置は、前記バルブ閉位置を鋳造条件に基づいて決定する閉位置決定手段をさらに有する。
【０００８】
本発明の鋳造方法は、一対の金型の間に形成されるキャビティ内を排気して減圧し、減圧された前記キャビティ内に金属溶湯を射出、充填して鋳造品を成形する鋳造方法であって、前記キャビティ内に連通する射出スリーブに金属溶湯を供給し、前記射出スリーブに金属溶湯が供給されたのちに金属溶湯を射出する射出プランジャを低速の射出速度で駆動し、前記キャビティ内の減圧を開始し、前記射出プランジャの位置が予め設定されたバルブ閉位置に達したところで、前記キャビティ内を排気する排気路を開閉する開閉バルブに前記排気路を閉鎖させる指令を出力し、前記射出プランジャの位置が前記バルブ閉位置の前方に設定された速度切換位置に達するまでに前記排気路の閉鎖の完了を検出した場合には、高速の射出速度に切り換えて、減圧された前記キャビティ内に金属溶湯を射出、充填させ、前記排気路の閉鎖の完了を検出しない場合には、前記射出プランジャの駆動を停止させる。
【０００９】
好適には、本発明の鋳造方法は、前記バルブ閉位置を鋳造条件に基づいて、鋳造前に決定しておく。
【００１０】
本発明では、速度切換位置に前記射出プランジャが到達するまでに、排気路の閉鎖の完了を検出しない場合には、射出プランジャの駆動を停止させる。すなわち、排気路の閉鎖の完了が検出されないと、高速の射出速度への切り換えは行われない。排気路の閉鎖が完了していない状態では、高速の射出速度による金属溶湯のキャビティへの射出、充填がされないので、開閉バルブへの金属溶湯の侵入が確実に防止される。
また、本発明では、開閉バルブを閉鎖するタイミングを、射出プランジャの位置によって決定し、このバルブ閉位置を鋳造条件に基づいて決定する。これにより、たとえば、予め設定された速度切換位置や射出速度等の鋳造条件から、適切な減圧が得られるバルブ閉位置が決定される。
【００１１】
【発明の実施の形態】
以下、本発明の実施の形態について図面を参照して説明する。
図１は、本発明の一実施形態に係るダイカスト装置の金型周辺の構造を示す断面図である。
図１は、本発明の一実施形態に係るダイカスト装置の金型周辺の構造を示す断面図である。
ダイカスト装置１は、固定金型２、移動金型３、射出装置１０、制御装置３０、油圧回路４０、真空ポンプ５０および開閉バルブ６０を有する。
なお、固定金型２および移動金型３は本願発明の一対の金型の一実施態様である。射出装置１０および油圧回路４０は本発明の射出装置、制御装置３０は本発明の制御手段の一実施態様である。
【００１２】
固定金型２は、複数の部材２ａ、２ｂから構成されている。この固定金型２は、図示しない型締装置の固定ダイプレートに固定されている。固定金型２は、後述する射出装置１０の射出スリーブ１６が固定されている。
【００１３】
移動金型３は、複数の部材３ａ、３ｂから構成されている。この移動金型３には、開閉バルブ６０が一体的に設けられている。
また、移動金型３には、複数の押出ピン６５が移動可能に設けられている。
【００１４】
図１に示す固定金型２および移動金型３は型締状態にある。固定金型２は図示しない型締装置の固定ダイプレートに固定されており、移動金型３は図示しない型締装置の移動ダイプレートに固定されている。たとえば、トグル機構等により移動ダイプレートが固定ダイプレートに向けて所定の力で押圧されることにより、固定金型２と移動金型３とが型締される。
【００１５】
固定金型２の分割面２ｆと移動金型３の分割面３ｆとの間には、鋳造品を鋳造するためのキャビティＣが形成されている。
固定金型２の分割面２ｆと移動金型３の分割面３ｆとの間には、分割面２ｆと分割面３ｆとの間をシールするシール部材ＳＬが設けられている。このシール部材ＳＬは、たとえば、シリコンゴム製である。
【００１６】
移動金型３には、開閉バルブ６０が設けられている。開閉バルブ６０は本発明の開閉バルブの一実施態様である。
開閉バルブ６０は、電磁アクチュエータ６１と、弁体６２と、弁軸６３と、弁座部材６４とを有する。
【００１７】
弁座部材６４は、貫通孔６４ａを有する円筒状部材であり、移動金型３に埋め込まれている。弁座部材６４と移動金型３の部材３ｂとの間には、シール部材ＳＬが設けられている。弁座部材６４は、弁座面６４ｆが移動金型３の分割面３ｆに一致する位置に配置されている。
移動金型３および弁座部材６４には、弁座部材６４の貫通孔６４ａに連通する排気路５２が形成されている。この排気路５２に排気管５１が接続されており、この排気経路５１は真空ポンプ５０に接続されている。
【００１８】
弁軸６３は、弁座部材６４の貫通孔６４ａに挿入されており、電磁アクチュエータ６１によって図１に示す直動方向に駆動される。
固定金型２と移動金型３との間には、弁軸６３の先端部に設けられた弁体６２のが移動できる空間Ｓｐが形成されている。この空間ＳｐはキャビティＣと連通している。したがって、キャビティＣは、空間Ｓｐ、弁座部材６４の貫通孔６４ａおよび排気路５２を通じて、排気管５１と連通している。
【００１９】
弁軸６３の先端部に設けられた弁体６２は、弁座部材６４側に駆動されることにより、弁座部材６４の弁座面６４ｆに当接する。これにより、キャビティＣと排気管５１を結ぶ排気経路が閉じられる。弁体６２は、固定金型２側に駆動されることにより、キャビティＣと排気管５１を結ぶ排気経路が開放される。
【００２０】
電磁アクチュエータ６１は、制御装置３０から制御指令６０ｓを受けて駆動される。
電磁アクチュエータ６１の一端部には、弁体６２（弁軸６３）の軸方向の位置を検出する位置検出器７０が設けられている。この位置検出器７０の位置検出信号７０ｓは後述する制御装置３０に入力される。
弁体６２の位置は、位置検出器７０の位置検出信号７０ｓが制御装置３０にフィードバックされることにより、制御装置３０によってサーボ制御される。
また、位置検出器７０により弁体６２の位置を検出することにより、弁体６２が排気路５２を開放した、あるいは、排気路５２を閉鎖したかの開閉状態を検出することができる。
なお、位置検出器７０と後述する制御装置３０の処理によって本発明の開閉検出手段が構成される。
【００２１】
射出装置１０は、射出スリーブ１６と、プランジャロッド１４およびプランジャチップ１５からなる射出プランジャ１７と、油圧シリンダ１１とを備えている。なお、油圧シリンダ１１および油圧回路４０は本発明の駆動手段を構成している。
射出スリーブ１６は、円筒状の部材からなり、固定金型２に固定され、上記したキャビティＣと連通している。射出スリーブ１６の後端部側には、金属溶湯を供給する供給口１６ｈが形成されている。
【００２２】
プランジャチップ１５は、プランジャロッド１４の一端に固定されており、射出スリーブ１６の内周に嵌合している。このプランジャチップ１５が供給口１６ｈより前方に移動することにより、射出スリーブ１６は外部に対して閉塞される。
プランジャロッド１４は、他端が油圧シリンダ１１のピストンロッド１２にカップリング１３を介して接続されている。
油圧シリンダ１１は、所定圧力の作動油によって駆動され、ピストンロッド１２を伸縮する。
【００２３】
プランジャロッド１４に対しては、位置検出センサ３５が設けられている。位置検出センサ３５は、本発明のプランジャ位置検出手段の一実施態様である。
プランジャロッド１４の外周には、軸方向に対し一定ピッチで磁極が形成されている。位置検出センサ３５は、たとえば、移動するプランジャロッド１４の磁極の変化を検出し、この磁極の変化をパルス信号に変換して出力する。位置検出センサ３５は、検出信号３５ｓを制御装置３０へ出力する。制御装置３０では、パルス信号からなる検出信号３５に基づいて、射出プランジャ１７の位置や速度が算出される。
【００２４】
油圧回路４０は、アキュムレータ等の油圧源に接続されており、制御装置３０から制御信号４０ｓを受けて、高圧の作動油を油圧シリンダ１１へ供給する。油圧回路４０によって油圧シリンダ１１へ高圧の作動油が供給されることにより、射出装置１０による射出動作が行われる。
【００２５】
真空ポンプ５０は、排気管５１を通じて、移動金型３と固定金型２との間に形成されるキャビティＣ内を排気する。
【００２６】
図２は、制御装置３０の機能ブロック図である。
図２に示すように、制御装置３０は、射出制御部３１と、バルブコントロール部３２と、鋳造条件保持部３３と、バルブ閉位置決定部３４とを有している。
なお、バルブ閉位置決定部３４は本発明の閉位置決定手段の一実施態様である。
また、制御装置３０は、ダイカスト装置１を総合的に制御し、射出装置１０、開閉バルブ６０、真空装置、型締装置、給湯装置等を制御し、上記の機能以外の機能をもつが詳細説明は省略する。
【００２７】
バルブコントロール部３２は、射出制御部３１から指令Ｖｒを受け、かつ、位置検出器７０の位置検出信号７０ｓがフィードバックされることにより、開閉バルブ６０を駆動する駆動信号６１ｓを生成し、電磁アクチュエータ６１に出力する。これにより、開閉バルブ６０の弁体６２は、指令Ｖｒに応じた目標位置に追従するようにサーボ制御される。
また、バルブコントロール部３２は、フィードバックされる位置検出器７０の位置検出信号７０ｓに基づいて、開閉バルブ６０による開放の完了および閉鎖の完了を示す開閉完了信号Ｖｏｃを射出制御部３１へ出力する。
【００２８】
射出制御部３１は、射出装置１０を駆動するための制御信号４０ｓを生成し、油圧回路４０へ出力する。
基本的には、射出スリーブ１６に金属溶湯が供給されたのちに、射出プランジャ１７を低速の射出速度で駆動し、設定された速度切換位置に達したところで高速の射出速度に切り換え、減圧されたキャビティＣ内に金属溶湯を射出、充填させる。さらに、キャビティＣ内に金属溶湯に充填され射出プランジャ１７が設定された増圧開始位置に到達したところで、射出プランジャ１７の圧力を上昇させて鋳造圧力を上昇させる。なお、射出制御部３１の具体的な処理については後述する。
【００２９】
鋳造条件保持部３３は、鋳造するための各種の条件を保持している。射出制御部３１は、この鋳造条件保持部３３に保持された鋳造条件を用いて、射出制御を行う。
鋳造条件として、たとえば、射出速度、速度切換位置、増圧値等種々のパラメータが規定される。また、この鋳造条件には、開閉バルブ６０の応答性、真空ポンプ５０の性能等の鋳造に必要な機構の条件も含まれる。
【００３０】
バルブ閉位置決定部３４は、鋳造条件保持部３３に保持された開閉バルブ６０の応答性や各種の鋳造条件に基づいて、開閉バルブ６０を閉鎖する指令を出力する射出プランジャ１７の位置Ｐ３  を決定する。
バルブ閉位置決定部３４は、たとえば、開閉バルブ６０の応答性、真空ポンプ５０の性能等を考慮して、減圧を開始して、必要な圧力まで減圧されるにのに要する射出プランジャ１７の移動量を算出し、これからバルブ閉位置Ｐ３  を決定する。バルブ閉位置Ｐ３  は、射出速度を低速から高速へ切り換える速度切換位置Ｐ４  の手前に設定される。
【００３１】
次に、上記構成のダイカスト装置１による鋳造における制御装置３０の処理の一例について、図３に示すフローチャートを参照して説明する。
まず、制御装置３０は、図１に示したように、移動金型３と固定金型２とを型締させたのち、図示しない給湯装置へ指令を出力し、射出スリーブ１６へ所定量の金属溶湯を供給させる（ステップＳ１）。
なお、このとき、射出プランジャ１７（プランジャチップ１５）は、供給口１６ｈを開放する初期位置Ｐ１  に位置決めされている。この状態では、図１に示したキャビティＣ内の圧力Ｐは、大気圧に等しい。また、真空ポンプ５０を起動し、排気可能な状態にしておく。また、開閉バルブ６０は閉じた状態としておく。
【００３２】
次いで、制御装置３０は、射出プランジャ１７をの射出速度Ｖを低速ＶＬ  で駆動する（ステップＳ２）。
次いで、制御装置３０は、図４に示すように、射出プランジャ１７が初期位置Ｐ１  から低速の射出速度ＶＬ  で移動を開始したのち、プランジャチップ１５が供給口１６ｈを塞ぐ閉塞位置Ｐ２  に達したか否かを判断する（ステップＳ３）。
【００３３】
プランジャチップ１５が供給口１６ｈを塞ぐ閉塞位置Ｐ２  に達すると、射出スリーブ１６内は密閉される。
制御装置３０は、プランジャチップ１５が供給口１６ｈを塞ぐ閉塞位置Ｐ２  に達したと判断した場合には、開閉バルブ６０を開放する指令を電磁アクチュエータ６１へ出力する（ステップＳ４）。この指令を受けて、排気路が開放されると、図４に示すように、型内圧力Ｐｒ（キャビティＣ内の圧力）が大気圧から急速に低下していく。
【００３４】
次いで、制御装置３０は、射出プランジャ１７がバルブ閉位置Ｐ３  に到達したか否かを判断する（ステップＳ５）。バルブ閉位置Ｐ３  は、上記したバルブ閉位置決定部３４において予め決定されている。射出プランジャ１７がバルブ閉位置Ｐ３  に到達したときには、異常がなければ、型内圧力Ｐｒが所望の圧力まで低下している。
制御装置３０は、射出プランジャ１７がバルブ閉位置Ｐ３  に到達したと判断すると、開閉バルブ６０によって排気路を閉じるバルブ閉指令を電磁アクチュエータ６１へ出力する（ステップＳ６）。この、バルブ閉指令を制御装置３０から出力したのちに、実際に排気路が開閉バルブ６０によって閉鎖されるまでにはタイムラグが存在し、このタイムラグは開閉バルブ６０の応答性等の種々の要因により変動しうる。
【００３５】
制御装置３０は、バルブ閉指令を出力したのち、射出プランジャ１７が速度切換位置Ｐ４  に到達したかを判断する（ステップＳ８）。速度切換位置Ｐ４  は、射出スリーブ１６内の金属溶湯の先端部分がキャビティＣのゲートに略到達するときの射出プランジャ１７の位置である。
制御装置３０は、射出プランジャ１７が速度切換位置Ｐ４  に到達したと判断した場合には、開閉バルブ６０による排気路の閉鎖が完了しているかを判断する（ステップＳ９）。この判断は、開閉バルブ６０に設けられた位置検出器７０の検出する弁体６２の位置に基づいて判断される。すなわち、弁体６２が排気路を確実に閉鎖した位置に移動していれば、閉鎖が完了したと判断する。
【００３６】
次いで、制御装置３０は、開閉バルブ６０による排気路の閉鎖が完了していないと判断した場合には、射出プランジャ１７の駆動を緊急的に停止させる制御信号を油圧回路４０へ出力する（ステップＳ９）。これにより、射出プランジャ１７の駆動は停止し、射出スリーブ１６内の金属溶湯はキャビティＣ内へ射出、充填されない。
この場合には、射出スリーブ１６内に残った金属溶湯は、金型を開放したのち外部へ排出される（ステップＳ１０）。
【００３７】
一方、開閉バルブ６０による排気路の閉鎖が完了したと判断した場合には、制御装置３０は、図４に示すように、射出速度Ｖを高速ＶＨ  に切り換える（ステップＳ１１）。
これにより、射出スリーブ１６内の金属溶湯はキャビティＣ内へ射出、充填される。このとき、開閉バルブ６０は確実に閉じているので、開閉バルブ６０内に金属溶湯が侵入することが確実に防止される。
【００３８】
次いで、制御装置３０は、射出プランジャ１７が増圧開始位置Ｐ５  へ到達したか否かを判断する（ステップＳ１２）。増圧開始位置Ｐ５  は、射出スリーブ１６内の金属溶湯がキャビティＣ内へ射出、充填され、キャビティＣ内が金属溶湯で略満たされたときの射出プランジャ１７の位置である。図４に示すように、射出プランジャ１７が増圧開始位置Ｐ５  へ移動すると、射出速度Ｖが急速に低下する。代わりに、鋳造圧力Ｐｃが上昇する。
この増圧開始位置Ｐ５  に射出プランジャ１７が到達したと判断した場合には、油圧シリンダ１１の速度制御から圧力制御へ切り換えて、鋳造圧力Ｐｃを上昇させる（ステップＳ１３）。図４に示すように、増圧を開始すると、鋳造圧力Ｐｃが急上昇する。
【００３９】
次いで、鋳造が完了したかを判断し（ステップＳ１４）、完了した場合は、型開、鋳造品の押出し、金型清掃等の後処理工程を行う（ステップＳ１５）。
また、再び鋳造を行うかを判断し（ステップＳ１６）、再び鋳造する場合には、ステップＳ１に戻る。
【００４０】
以上のように、本実施形態によれば、開閉バルブ６０の開閉状態を実際に検出し、キャビティＣ内の減圧を開始後、射出プランジャ１７がバルブ閉位置Ｐ３  を通過し速度切換位置Ｐ４  へ移動したところで、開閉バルブ６０の排気路の閉鎖が完了したかを検出し、完了していない場合には強制的に高速の射出速度への切り換えを中止する。これにより、開いた状態の開閉バルブ６０内に金属溶湯が侵入するのを確実に防ぐことができ、開閉バルブ６０の破損を確実に防ぐことができる。
【００４１】
また、本実施形態によれば、バルブ閉位置決定部３４において、種々の鋳造条件を考慮して、開閉バルブ６０を閉じるときの射出プランジャ１７の位置であるバルブ閉位置Ｐ３  を決定することにより、鋳造条件毎に適切なバルブ閉位置Ｐ３が得られ、射出プランジャ１７が速度切換位置Ｐ４  へ移動したときには、キャビティＣ内は適切な圧力に減圧される。
【００４２】
【発明の効果】
本発明によれば、キャビティ内を減圧して金属溶湯を射出、充填する鋳造において、適切な減圧が得られ、かつ、開閉弁への金属溶湯の侵入を確実に防ぐことができる。
【図面の簡単な説明】
【図１】本発明の一実施形態に係るダイカスト装置の金型周辺の構造を示す断面図である。
【図２】制御装置の機能ブロック図である。
【図３】ダイカスト装置による鋳造における制御装置内の処理手順の一例を示すフローチャートである。
【図４】プランジャ位置、射出速度、鋳造圧力および型内圧力の一例を示すグラフである。
【符号の説明】
１…ダイカスト装置
１０…射出装置
３０…制御装置
３１…射出制御部
３２…バルブコントローラ
３３…鋳造条件保持部
３４…バルブ閉位置決定部
４０…油圧回路
５０…真空ポンプ
６０…開閉バルブ
７０…位置検出器
【図１】
2004337932.tif 000003
【図２】
2004337932.tif 000004
【図３】
2004337932.tif 000005
【図４】
2004337932.tif 000006